(57)【要約】【課題】ネットワークを介して映像パケットを受信する受信端末において、通信帯域の変化が発生し、映像が乱れたとき、その原因がネットワークにあるのか、ネットワーク以外の受信端末のほかの部分にあるのかを判断することは困難であった。【解決手段】ネットワークとの通信処理を行うネットワーク手段１０１と、前記ネットワーク手段を介してデータパケットを受信するパケット受信手段１０２と、前記パケット受信手段が受信したデータパケットから視聴選択されたストリームのパケットを抽出し出力するパケット処理手段１０３と、前記パケット処理手段の出力するパケットの受信レートを測定して保存する伝送能力測定手段１０４と、前記伝送能力測定手段において測定した受信レートを表示する情報表示手段１０６を備える。【選択図】図１
2007306354.tif 000002
【特許請求の範囲】
【請求項１】
ネットワークとの通信処理を行うネットワーク手段と、前記ネットワーク手段を介してデータパケットを受信するパケット受信手段と、前記パケット受信手段が受信したデータパケットから視聴選択されたストリームのパケットを抽出し出力するパケット処理手段と、前記パケット処理手段の出力するパケットの受信レートを測定する伝送能力測定手段と、前記受信レートを表示する情報表示手段を備えることを特徴とする受信装置。
【請求項２】
ネットワークとの通信処理を行うネットワーク手段と、前記ネットワーク手段を介してデータパケットを受信するパケット受信手段と、前記パケット受信手段が受信したデータパケットにおいて映像パケットと非映像パケットの判定を行い映像パケットと非映像パケットとを区別して出力するパケット処理手段と、前記パケット処理手段が出力する映像パケットの受信レートを測定する映像パケット伝送能力測定手段と、前記パケット処理手段が出力する非映像パケットの受信レートを測定する非映像パケット伝送能力測定手段と、少なくとも前記映像パケットの受信レートまたは前記非映像パケットの受信レートのうちの一つを表示する情報表示手段を備えることを特徴とする受信装置。
【請求項３】
前記パケット処理手段の出力する映像パケットを入力してデコード処理し映像を出力するデコーダ手段を備え、前記情報表示手段は前記映像パケットの受信レートまたは前記非映像パケットの受信レートと前記デコーダ手段から出力された映像とを同時に表示することを特徴とする請求項２記載の受信装置。
【請求項４】
受信レートを表示するか否かの指示を受け付ける制御入力手段を備え、前記情報表示手段は、前記制御入力手段において受信レートを表示する指示が受け付けられた場合に前記パケットの受信レートまたは前記映像パケットの受信レートまたは前記非映像パケットの受信レートを表示する構成としたことを特徴とする請求項１または２記載の受信装置。
【請求項５】
前記情報表示手段に表示される受信レートは、物理伝送速度に対する絶対値または相対値をグラフまたは数値で表すことを特徴とする請求項１〜４のいずれか１項に記載の受信装置。
【請求項６】
前記映像パケットの受信に必要な伝送レートを保存するコンテンツ情報保存手段を備え、前記映像パケット伝送能力測定手段は、前記映像パケットの受信レートが前記伝送レートを下回ったときに警告表示する構成としたことを特徴とする請求項２記載の受信装置。
【請求項７】
前記コンテンツ情報保存手段は、前記コンテンツを送信する映像配信サーバ装置から前記コンテンツの情報と前記コンテンツの伝送レートを取得し、保存する構成としたことを特徴とする請求項６記載の受信装置。
【請求項８】
前記コンテンツ情報保存手段は、前記映像パケットの受信レートと、前記伝送レートとを比較して前記コンテンツが伝送可能であるか否かを判定し、前記判定の結果を前記情報表示手段に表示する構成を備えることを特徴とする請求項７記載の受信装置。
【請求項９】
前記ネットワークは少なくとも無線ネットワークであり、前記ネットワーク手段は無線リンク状況の状態を検出する無線リンク検出手段を備え、前記無線リンク検出手段が無線リンクの状況に変化があったものと検出した場合に、前記映像パケット伝送能力測定手段または前記非映像パケット伝送能力手段により受信レートの測定をし、前記コンテンツ情報保存手段は前記伝送レートと測定した前記受信レートとを比較して前記コンテンツが伝送可能であるか否かを判定する構成としたことを特徴とする請求項８記載の受信装置。
【請求項１０】
非映像パケットの処理を停止させる指示を受け付け、非映像パケットの処理を停止させる指示を受け付けた場合には、前記非映像パケットの処理を停止させる制御入力手段を備えることを特徴とする請求項２記載の受信装置。
【発明の詳細な説明】
【技術分野】
【０００１】
本発明は、無線ＬＡＮまたは有線ＬＡＮからなるネットワークを用いてＡＶストリームを送受信する伝送機能を備える送受信システムにおいて、受信装置を設置するときの伝送性能の検出、送受信装置の追加や除去による伝送能力の変化や視聴時の伝送能力の変化を把握して伝送性能を検出し、表示する受信装置に関するものである。
【背景技術】
【０００２】
近年、インターネット網の広帯域化に伴い、インターネット網を経由して通信されるデータとして、文字データや画像データのみならず、音声と動画像からなる映像ストリーム（以下ＡＶストリームと記載する）がやりとりされるようになってきている。
【０００３】
ＡＶストリームを用いたサービスの一例として、映像配信サーバ装置から送出されるＡＶストリームがインターネット網を介して多数の受信端末に同時配信されるインターネット放送がある。インターネット網は、複数のルータなどのネットワーク装置から構成されており、映像配信サーバ装置から受信端末に至る経路で、ＡＶストリームを構成するデータパケットが欠落したり、ネットワークが混雑することなどにより、ＡＶストリーム伝送に必要な伝送帯域を満足できず、受信端末において表示される映像が乱れたりすることが考えられる。
【０００４】
また、インターネット放送やテレビジョン放送などの放送番組を受信・表示するテレビなどの受信装置と、放送番組をＡＶストリームのデータとして記録・蓄積するＤＶＤレコーダやＨＤＤレコーダなどの記録・蓄積装置など、各種のＡＶ装置で構成するＡＶシステムの設置や利用が家庭内においても増えてきている。
【０００５】
また、有線ＬＡＮ（有線ケーブルを利用するイーサネット（登録商標）ネットワークなど）や無線ＬＡＮ（ＩＥＥＥ８０２．１１規格を利用した無線ネットワークなど）の技術開発・商品化が進み、ホームネットワークにパソコンやＡＶシステム構成装置を接続してネットワーク化することが普及し始めている。
【０００６】
このようなＡＶシステムとして利用できるように、無線ＬＡＮのアクセスポイントも含めて、テレビや記録・蓄積装置などで構成されるＡＶ装置のホームネットワークシステムの開発が行われている。
【０００７】
記録・蓄積装置に記録した放送番組のコンテンツはＡＶ信号ケーブルで接続したモニタとなるテレビで視聴されるだけでなく、他の場所に設置されたテレビで視聴されるという機会もある。例えば、戸建の１階のリビングに設置された記録・蓄積装置に記録・蓄積された放送番組のコンテンツを２階の部屋で視聴されることなどが要望され、各装置は有線ＬＡＮや無線ＬＡＮを利用して接続され、ホームネットワークが構築される。
【０００８】
このような有線ＬＡＮと無線ＬＡＮとが混在した環境では、記録・蓄積装置と他の場所に設置された受信装置との間でのＡＶストリームの伝送品質、すなわち必要な伝送の帯域を確保できるかどうか、がわからず、ベストエフォートでの伝送となる。
【０００９】
さらに、無線ＬＡＮ区間では、他の無線ＬＡＮを用いる装置が同一周波数チャネルを利用した場合に、無線の干渉波などの影響により、ＡＶストリームの伝送品質を確保することが必ずしも保証されない。
【００１０】
そこで、無線ネットワークの通信方式であるＢｌｕｅｔｏｏｔｈにおいて、無線リンク状態を監視し、その状態情報を用いて上位のアプリケーションの実行を制御することを可能とする無線端末が考案されている（例えば、特許文献１参照）。
【００１１】
また、従来の受信性能表示装置では、映像配信サーバ装置からビットレートを変えたテストデータパケットを送出し、検出されたパケットロスに応じて適正なビットレートを判断し、当該ビットレートにより映像配信サーバ装置からＡＶストリームを伝送することで、受信端末における映像品質を保存しているものもある（例えば、特許文献２参照）。
【００１２】
図１５は、特許文献２に記載された従来の受信性能表示装置の構成を表す。映像配信サーバ装置１５００は、ＴＶチューナー１５０１と、ビットレート変換手段１５０２と、受信端末通信手段１５０３と、パケット送信手段１５０４と、ネットワークインターフェース（ネットワークＩＦ）１５０５から構成されている。この構成において、テレビジョン放送などをＴＶチューナー１５０１によりアナログデータとして受信し、アナログデータを映像ストリームに変換して、インターネット網１５０６を介して、受信端末１５２０に配信する。
【００１３】
受信端末１５２０は、ネットワークインターフェース（ネットワークＩＦ）１５２７と、テレビのインターフェース（ＴＶ−ＩＦ）１５２１と、ＴＶ再生手段１５２２と、リモコン処理手段１５２３と、赤外線インターフェース（赤外線ＩＦ）１５２４と、ストリーム処理手段１５２５と、通信品質測定手段１５２６とから構成される。
【００１４】
ストリーム処理手段１５２５は、ネットワークＩＦ１５２７を介して入力されたＡＶストリームデータを受信する。受信したＡＶストリームデータをＴＶ再生手段１５２２及び通信品質測定手段１５２６に出力する。
【００１５】
ＴＶ再生手段１５２２は、ストリーム処理手段１５２５から出力されたデジタルデータをアナログデータに変換し、ＴＶ−ＩＦ１５２１を介して当該アナログデータをディスプレイに再生する。
【００１６】
通信品質測定手段１５２６は、ＡＶストリームの通信品質を測定し、次のようにして最適な伝送品質を判断する。映像配信サーバ装置１５００から通信帯域を増やしながら任意のテストデータパケットを送出して、受信したパケットの損失をチェックし、パケット損失が確認される直前の通信帯域を受信端末側の最終帯域として判断する。そして、映像配信サーバ装置１５００に伝送品質を登録し、この伝送品質によりＡＶストリームの伝送を行う。
【特許文献１】特開２００１−１０３０６７号公報
【特許文献２】特開２００５−１６７５１４号公報
【発明の開示】
【発明が解決しようとする課題】
【００１７】
しかしながら、このような従来の構成では、有線ＬＡＮや無線ＬＡＮが混在するネットワークにおいて、有線ＬＡＮ区間の伝送能力と無線ＬＡＮ区間の伝送能力とが異なることがあり、また、接続される装置の増減や無線装置間の干渉などにより伝送能力への影響があるにもかかわらず、無線ＬＡＮ区間を意識することなく固定的な伝送レートを前提としたＡＶストリームの伝送が行われている。
【００１８】
また、映像配信サーバ装置と受信装置との間で、通信帯域を任意に増やしながらテストデータパケットを送出して伝送レートを決定しているが、通信帯域の決定が初期設置時にのみなされたままであり、固定的な伝送レートが用いられている。
【００１９】
このため、有線ＬＡＮや無線ＬＡＮを含む経路の接続を把握するなどのネットワークの経路設定、ネットワーク機能、装置間のＡＶストリーム伝送能力、通信帯域の変化、さらにＡＶストリーム以外を伝送するアプリケーション（例えばブラウザやメール機能）が利用されることによる非映像パケットの転送など、ネットワークの構成や、システムを構成する装置間の伝送性能を、装置設置時ばかりでなくＡＶストリーム視聴時においても、ユーザが把握、認識することが困難であった。
【００２０】
従って、ＡＶストリームの伝送能力、通信帯域の変化、及びネットワークの伝送経路の構成などの要因により、テレビに映像が映らない、あるいは乱れるなどの障害が発生した場合、その障害の要因がネットワークにあるのか、またはそれ以外にあるのかを判断することができず、その判断のための基にできる受信レートを知ることができないという課題を有した。
【００２１】
さらには、ユーザが視聴しているときに、映像に障害が発生することは、ユーザへ不快感を与えることになるという課題を有した。
【００２２】
本発明は、前記従来の課題を解決するもので、ＡＶストリームの受信機能を備える送信装置と受信装置をネットワークに接続する構成において、視聴選択されたストリームのパケットの伝送能力を測定し、ユーザに提示できる受信装置を提供することを目的とする。
【００２３】
さらに、本発明は、ＡＶストリームの受信機能を備える送信装置と受信装置をネットワークに接続する構成において、リアルタイムに必要とする映像パケットと、必ずしもリアルタイムが求められない非映像パケットとを区別して、ＡＶストリームの伝送能力を測定し、ユーザ提示できる受信装置を提供することを目的とする。
【課題を解決するための手段】
【００２４】
前記課題を解決するために、本発明の受信装置は、ネットワークとの通信処理を行うネットワーク手段と、前記ネットワーク手段を介してデータパケットを受信するパケット受信手段と、前記パケット受信手段が受信したデータパケットから視聴選択されたストリームのパケットを抽出し出力するパケット処理手段と、前記パケット処理手段の出力するパケットの受信レートを測定する伝送能力測定手段と、前記受信レートを表示する情報表示手段を備えたものである。
【００２５】
また、本発明の受信装置は、ネットワークとの通信処理を行うネットワーク手段と、前記ネットワーク手段を介してデータパケットを受信するパケット受信手段と、前記パケット受信手段が受信したデータパケットにおいて映像パケットと非映像パケットの判定を行い映像パケットと非映像パケットとを区別して出力するパケット処理手段と、前記パケット処理手段が出力する映像パケットの受信レートを測定する映像パケット伝送能力測定手段と、前記パケット処理手段が出力する非映像パケットの受信レートを測定する非映像パケット伝送能力測定手段と、少なくとも前記映像パケットの受信レートまたは前記非映像パケットの受信レートのうちの一つを表示する情報表示手段を備えたものである。
【発明の効果】
【００２６】
本発明の受信装置によれば、ネットワークとの通信処理を行うネットワーク手段と、前記ネットワーク手段を介してデータパケットを受信するパケット受信手段と、前記パケット受信手段が受信したデータパケットから視聴選択されたストリームのパケットを抽出し出力するパケット処理手段と、前記パケット処理手段の出力するパケットの受信レートを測定する伝送能力測定手段と、前記受信レートを表示する情報表示手段を備える構成にしたことにより、視聴選択されたＡＶストリームの受信レートを測定して、画面に表示するため、ユーザが受信レートを確認することができ、映像が映らない、乱れるなどの障害が発生した際にはその原因がネットワークにあるのかそれ以外にあるのかを知ることができるという効果が得られる。
【００２７】
また本発明によれば、ネットワークとの通信処理を行うネットワーク手段と、前記ネットワーク手段を介してデータパケットを受信するパケット受信手段と、前記パケット受信手段が受信したデータパケットにおいて映像パケットと非映像パケットの判定を行い映像パケットと非映像パケットとを区別して出力するパケット処理手段と、前記パケット処理手段が出力する映像パケットの受信レートを測定する映像パケット伝送能力測定手段と、前記パケット処理手段が出力する非映像パケットの受信レートを測定する非映像パケット伝送能力測定手段と、少なくとも前記映像パケットの受信レートまたは前記非映像パケットの受信レートのうちの一つを表示する情報表示手段を備える構成にしたことにより、視聴にかかわる映像パケットの受信レートと、視聴に直接にはかかわることのない非映像パケットの受信レートを抽出して、少なくともいずれか一方を画面に表示するため、ユーザが実際に視聴する映像の受信レートを知ることができ、映像に障害が発生した際にはその原因がネットワークにあるのかそれ以外にあるのかを知ることができるという効果が得られる。
【発明を実施するための最良の形態】
【００２８】
本発明においては、ネットワークとの通信処理を行うネットワーク手段と、前記ネットワーク手段を介してデータパケットを受信するパケット受信手段と、前記パケット受信手段が受信したデータパケットから視聴選択されたストリームのパケットを抽出し出力するパケット処理手段と、前記パケット処理手段の出力するパケットの受信レートを測定する伝送能力測定手段と、前記受信レートを表示する情報表示手段を備える構成を有する。
【００２９】
これにより、視聴選択されたＡＶストリームの受信レートを測定し、画面に表示するため、ユーザが受信レートを確認することができ、映像が映らない、乱れるなどの障害が発生した際にはその原因がネットワークにあるのかそれ以外にあるのかを知ることができるという効果を奏する。
【００３０】
また、ネットワークとの通信処理を行うネットワーク手段と、前記ネットワーク手段を介してデータパケットを受信するパケット受信手段と、前記パケット受信手段が受信したデータパケットにおいて映像パケットと非映像パケットの判定を行い映像パケットと非映像パケットとを区別して出力するパケット処理手段と、前記パケット処理手段が出力する映像パケットの受信レートを測定する映像パケット伝送能力測定手段と、前記パケット処理手段が出力する非映像パケットの受信レートを測定する非映像パケット伝送能力測定手段と、少なくとも前記映像パケットの受信レートまたは前記非映像パケットの受信レートのうちの一つを表示する情報表示手段を備える構成にしてもよい。
【００３１】
これにより、視聴選択されたＡＶストリームのうち視聴に直接かかわる映像パケットの受信レートと、視聴に直接にはかかわることのない非映像パケットの受信レートを区別して、少なくともいずれか一方を画面に表示するため、ユーザが視聴に直接かかわる映像の受信レートを知ることができ、映像に障害が発生した際にはその原因がネットワークにあるのかそれ以外にあるのかを知ることができるという効果を奏する。
【００３２】
また、前記パケット処理手段の出力する映像パケットを入力してデコード処理し映像を出力するデコーダ手段を備え、前記情報表示手段は前記映像パケットの受信レートまたは前記非映像パケットの受信レートと前記デコーダ手段から出力された映像とを同時に表示するという構成にしてもよい。
【００３３】
これにより、視聴選択した映像と同時に受信レートを画面に表示するため、ユーザが映像を視聴しながら受信レートを確認することができるという効果を奏する。
【００３４】
また、受信レートを表示するか否かの指示を受け付ける制御入力手段を備え、前記情報表示手段は、前記制御入力手段において受信レートを表示する指示が受け付けられた場合に前記受信レートまたは前記映像パケットの受信レートまたは前記非映像パケットの受信レートを表示するという構成にしてもよい。
【００３５】
これにより、ユーザが受信レートを表示する指示をした際に、画面に受信レートが表示されるため、装置の設置やネットワークの構成を変更したとき、映像が乱れたときなどに、ユーザの指示により受信レートを確認することができるという効果を奏する。
【００３６】
また、前記情報表示手段に表示される受信レートは、物理伝送速度に対する絶対値または相対値をグラフまたは数値で表示するという構成にしてもよい。
【００３７】
これにより、受信レートは、物理伝送速度に対する絶対値、相対値のグラフまたは数値で表示されるため、受信レートを視覚的に確認することができるという効果を奏する。
【００３８】
また、前記映像パケットの受信に必要な伝送レートを保存するコンテンツ情報保存手段を備え、前記映像パケット伝送能力測定手段は、前記映像パケットの受信レートが前記伝送レートを下回ったときに警告表示するという構成にしてもよい。
【００３９】
これにより、映像パケットの受信レートがコンテンツの受信に必要な伝送レートを下回ったときに警告表示するため、ネットワークの受信性能が低下したときに映像に障害が発生する可能性があることを、ユーザに通知することができるという効果を奏する。
【００４０】
また、前記コンテンツ情報保存手段は、前記コンテンツを送信する映像配信サーバ装置から前記コンテンツの情報と前記コンテンツの伝送レートを取得し、保存するという構成にしてもよい。
【００４１】
これにより、映像配信サーバ装置からコンテンツの情報と伝送レートを取得するため、ネットワークの性能が低下したときに映像に障害が発生する可能性があるか否かを、視聴するコンテンツに対応して、ユーザに通知することができるという効果を奏する。
【００４２】
また、前記コンテンツ情報保存手段は、前記映像パケットの受信レートと、前記伝送レートとを比較して前記コンテンツが伝送可能であるか否かを判定し、前記判定の結果を前記情報表示手段に表示するという構成にしてもよい。
【００４３】
これにより、コンテンツ保存手段が保存しているコンテンツに対して、コンテンツの伝送レートとネットワークの伝送能力とを比較して、コンテンツが伝送可能かどうかを判定して画面表示するため、ユーザがコンテンツの一覧の確認とともに、映像に障害が発生せずに視聴することができるか否かを知ることができるという効果を奏する。
【００４４】
また、前記ネットワークは少なくとも無線ネットワークであり、前記ネットワーク手段は無線リンク状況の状態を検出する無線リンク検出手段を備え、前記無線リンク検出手段が無線リンクの状況に変化があったものと検出した場合に、前記映像パケット伝送能力測定手段または前記非映像パケット伝送能力手段により受信レートの測定をし、前記コンテンツ情報保存手段は前記伝送レートと測定した前記受信レートとを比較して前記コンテンツが伝送可能であるか否かを判定するという構成にしてもよい。
【００４５】
これにより、無線ネットワークで構成されている際に、ネットワーク手段が無線リンク状況の状態を検出し、無線リンクの状況に変化があった場合に、受信レートの測定を行い、コンテンツが伝送可能であるか否かを判定して、その結果を表示するため、ネットワークの伝送状況に変化があった際にも、ユーザがコンテンツ視聴前に映像に障害を発生する恐れがあるコンテンツであるか否かを、無線リンクの状況に応じて認識することができるという効果を奏する。
【００４６】
また、非映像パケットの処理を停止させる指示を受け付け、非映像パケットの処理を停止させる指示を受け付けた場合には、前記非映像パケットの処理を停止させる制御入力手段を備えるという構成にしてもよい。
【００４７】
これにより、非映像パケットの処理を停止させる指示を受けた場合には、非映像パケットの処理を停止するため、ＡＶストリーム伝送における映像に障害が発生した際に、視聴にあまり影響を与えない非映像データ転送を停止することができるという効果を奏する。
【００４８】
以下、本発明を実施するための最良の形態について、図面を参照しながら説明する。
【００４９】
（実施の形態１）
図１は、本発明の実施の形態１における受信装置の構成図である。
【００５０】
図１に示すように、本実施の形態１における受信装置１００と、ＡＶストリームを配信する映像配信サーバ装置２００は、ネットワーク３００により接続されており、映像配信サーバ装置２００から配信されたＡＶストリームのパケットを受信装置１００は受信する。受信装置１００は、その一例としてチューナーや、セットトップボックス、テレビなどがある。ネットワーク３００は、その一例として有線ＬＡＮや無線ＬＡＮなどがある。
【００５１】
受信装置１００は、ネットワーク３００との通信制御を行うネットワーク手段１０１と、ネットワーク手段１０１を介してネットワーク３００からパケットを受信するパケット受信手段１０２と、受信したパケットの処理を行うパケット処理手段１０３と、受信したパケットの受信レートを測定する伝送能力測定手段１０４と、受信したＡＶストリームを映像信号にデコードするデコーダ手段１０５と、受信レートと映像を表示する情報表示手段１０６とから構成されている。
【００５２】
パケット受信手段１０２は、視聴するＡＶストリームをユーザに選択させパケット受信手段１０２に対し通知する制御手段（図示せず）からの指示を受け、ネットワーク３００から配信されたパケットからユーザが視聴を選択したＡＶストリームに関するパケットを抽出する。
【００５３】
伝送能力測定手段１０４は、一定の時間ごとに、あらかじめ設定された単位時間内に到着したパケットのデータ量（以下、受信レートと呼ぶ）を測定し、保存し、情報表示手段１０６に表示する。
【００５４】
情報表示手段１０６は、モニタなどの画面表示するものなどを用いることができ、ここでは画面に映像を表示するモニタとして、また受信レートの表示手段として機能する。
【００５５】
図２は、情報表示手段１０６における受信レートをネットワーク手段１０１における物理伝送速度に対する絶対値や相対値で表した例である。
【００５６】
図２（ａ）では、ネットワーク手段１０１における物理伝送速度に対して絶対値で表した例である。１０００Ｍイーサネット（登録商標）（１０００Ｂａｓｅ−Ｔ）の場合に、フルレンジを“１０００Ｍｂｐｓ”として測定した受信レートが３２０Ｍｂｐｓであることを示す。１００Ｍイーサネット（登録商標）（１００Ｂａｓｅ−ＴＸ）の場合ならば、フルレンジを“１００Ｍｂｐｓ”として表示する。
【００５７】
図２（ｂ）では、ネットワーク手段１０１における物理伝送速度に対して相対値で表した例である。１０００Ｍイーサネット（登録商標）（１０００Ｂａｓｅ−Ｔ）の場合に、フルレンジを“１０００Ｍｂｐｓ”として測定した受信レートが４２％（４２０Ｍｂｐｓ）であることを示す。１００Ｍイーサネット（登録商標）（１００Ｂａｓｅ−ＴＸ）のときならば１００Ｍｂｐｓを１００％として表示する。
【００５８】
このようにすることで、実際に受信しているパケットの受信レートをユーザが容易に読み取ることができる。
【００５９】
情報表示手段１０６に表示されるＡＶストリームの映像に障害が発生したときには、同時に表示される受信レートをユーザが確認することができる。そして、この受信レートが、ＡＶストリーム伝送に必要な単位時間あたりのパケット量である伝送レートを満たしていない場合には、この映像の乱れがネットワークに起因しているものとしてユーザは認識することができる。そうでない場合には、受信装置１００に起因しているものとしてユーザは認識することができる。
【００６０】
映像に障害が発生した際に、その原因が何であるか判断する具体例を、図２（ｃ）、（ｄ）を用いながら説明する。
【００６１】
図２（ｃ）では、ＡＶストリームの受信に必要な伝送レートがあらかじめわかっており、その値が３０Ｍｂｐｓであるにもかかわらず、受信レートが２０Ｍｂｐｓであることを示している。図２（ｃ）の棒グラフのうち黒塗りの棒グラフ部分７３１で示している箇所は受信レートを、斜線部分７３２で示している箇所は受信レートの不足分を示す。このとき、情報表示手段１０６に示す映像に障害が発生しているとき、ユーザは受信レートが不足しているため障害の原因がネットワークにあるものと判断できる。ＡＶストリームの受信に必要な伝送レートの取得方法については、後に説明する。
【００６２】
図２（ｄ）では、ＡＶストリームの受信に必要な伝送レートが３０Ｍｂｐｓであるのに対して、受信レートが３０Ｍｂｐｓであることを示している。このとき、情報表示手段１０６に示す映像に障害が発生しているとき、ユーザは受信レートが不足しておらず障害の原因がネットワーク以外にあるものと判断することができる。
【００６３】
なお、情報表示手段１０６における受信レートの表示は数値のみでも、数値も含めてグラフィカルに表示しても構わない。画面に表示するグラフの種類は、棒グラフだけでなく、円グラフ、折れ線グラフなどユーザが容易に受信レートを判断できるものであれば、どのようなものでもよい。色により区別しても構わない。また、グラフの画面上の表示位置についても、部分的に表示する場合、上下左右、あるいは中央のいずれでもよい。さらに、全画面に表示してもよい。
【００６４】
以上のように構成することで、実際に受信したパケットの受信レートを伝送能力測定手段１０４で定期的に測定し、リアルタイムに情報表示手段１０６に表示することができるため、ユーザに受信レートを知らせることができる。また、映像と同時に受信レートを画面に表示することができる。
【００６５】
なお、伝送能力測定手段１０４による受信レートの観測間隔は定期的（一定の時間ごと）に限らず、非定期的に観測しても構わない。
【００６６】
また、ユーザによる受信レートの確認のみならず、受信レートと伝送レートを映像配信サーバ装置２００へ通知することにより、映像配信サーバ装置２００は、受信レート不足が発生したことを認識することができるので、視聴料金の低減などの情報として利用できる。
【００６７】
（実施の形態２）
図３は、本発明の実施の形態２における受信装置の構成図である。
【００６８】
図３において、図１と同じ構成要素については同じ符号を用い説明を省略する。
【００６９】
本実施の形態２における受信装置４００において、実施の形態１の構成とは次の点で異なる。パケット処理手段１０３は映像パケットと非映像パケットを区別して送信すること、パケットの区別に応じてそれぞれ処理をする映像パケット処理手段１０７と非映像パケット処理手段１０８が設けられていること、伝送能力測定手段１０４はパケットの区別に応じてそれぞれ測定する映像パケット伝送能力測定手段１１１と非映像パケット伝送能力測定手段１１０とに分かれていること、非映像パケットの処理を行うアプリ処理手段１０９が設けられていることが異なる。
【００７０】
パケット処理手段１０３は、映像パケットと非映像パケットの解析と判定を行い、各々のパケットを映像パケット処理手段１０７及び非映像パケット処理手段１０８に出力する。映像パケットか否かの判定は、ネットワーク手段１０１を介して受信した通信プロトコルの各伝送データのパケットヘッダを解析することにより行われる。パケットヘッダはＭＡＣヘッダ、ＩＰヘッダ、ＵＤＰヘッダ、及び映像パケットを伝送するＲＴＰヘッダからなり、ＲＴＰヘッダを解析することで、該当するパケットが映像パケットか否かを判定する。映像パケットと判定された場合には受信したパケット（これを映像パケットと呼ぶ）を映像パケット処理手段１０７に、映像パケットでないと判定された場合には受信したパケット（これを非映像パケットと呼ぶ）を非映像パケット処理手段１０８に出力する。
【００７１】
映像パケット処理手段１０７は、映像パケットからＡＶストリームを抽出し、デコーダ手段１０５に出力する。
【００７２】
非映像パケット処理手段１０８は、非映像パケットの送受信処理を行う。非映像パケットの一例として、後述するコンテンツの情報の取得などや、装置間の接続情報に関した、情報データ送受信に関するパケットがある。
【００７３】
デコーダ手段１０５は、ＡＶストリームをデコード（伸張）処理して、情報表示手段１０６に表示する。
【００７４】
映像パケット伝送能力測定手段１１１は、映像パケット処理手段１０７により受信されたパケットの受信レートを測定し、情報表示手段１０６に表示する。
【００７５】
非映像パケット伝送能力測定手段１１０は、非映像パケット処理手段１０８により受信されたパケットの受信レートを測定し、情報表示手段１０６に表示する。
【００７６】
アプリ処理手段１０９は、非映像パケットの処理、すなわち、コンテンツのタイトルや出演者、映像の撮影時間、あらすじ、関連情報へのリンクなどコンテンツに関する文字や静止画などの情報を、書式を整えて画面に表示する処理を行う。このような機能を持つアプリの例としてブラウザなどがある。また、テキスト文字の入力や編集などを行うアプリ（電子メール機能アプリ等）でも構わない。
【００７７】
以上のように構成することで、実際に受信されたパケットの受信レートを、映像パケット、非映像パケットそれぞれに測定することができ、リアルタイムに情報表示手段１０６に表示することが可能となり、ユーザに対して視聴している映像と同時にそれぞれの受信レートを知らせることができる。
【００７８】
このとき、情報表示手段１０６に表示されるＡＶストリームの映像に障害が発生した際には、同時に情報表示手段１０６に表示される受信レートをユーザが確認することができる。そして、この受信レートが、ＡＶストリーム伝送に必要な伝送レートを満たない場合には、この映像の障害がネットワークに起因しているものとしてユーザは認識することができる。そうでない場合には、受信装置に起因しているものとしてユーザは認識することができる。
【００７９】
また、ユーザによる受信レートの確認のみならず、受信レートと伝送レートを映像配信サーバ装置２００へ通知することにより、映像配信サーバ装置２００は、受信レート不足が発生したことを認識することができる。
【００８０】
（実施の形態３）
図４は、本発明の実施の形態３における受信装置の構成図である。
【００８１】
図４において、図１、図３と同じ構成要素については同じ符号を用い説明を省略する。
【００８２】
本実施の形態３における受信装置５００においては、実施の形態２の受信装置の構成と比べ、ユーザからの操作の指示を受け付ける制御入力手段１２０をさらに備えている点が異なる。制御入力手段１２０の例として、リモコン（図示せず）などからの制御情報を受信する赤外線ＩＦ１２１や制御ボタン１２２などがある。
【００８３】
この構成により、ユーザがテレビを購入してからネットワークの設定やアンテナの設定などを行う際に、リモコンや受信装置５００に設けられた制御ボタン１２２などを操作することにより受信レートを画面に表示することができる。
【００８４】
赤外線ＩＦ１２１は、ユーザによるリモコンの操作によって生じる、受信レートを情報表示手段１０６に表示するか否かの制御信号を受け付ける。このリモコンのボタンには、受信レートを表示する機能が直接割り当てられていてもよく、また、リモコンを利用して画面などに表示されるメニューを操作することによって、受信レートの表示をする、しないの設定ができるものであっても構わない。
【００８５】
このようにすることで、ユーザがリモコンや受信装置５００に設けられた制御ボタン１２２などの操作により、ＡＶストリームの映像とともに受信レートを画面に表示することができ、テレビなどを設置したときの設置設定や、他の装置をネットワークに接続したときなどにより生じるネットワーク構成を変更したときにも、ユーザの要求により受信レートを表示することが可能となる。
【００８６】
なお、映像パケット伝送能力測定手段１１１、非映像パケット伝送能力測定手段１１０による受信レートの測定は常時行われていても構わないが、ユーザにより受信レートの表示をする旨の設定がなされた場合にのみ動作するようにしても構わない。そのようにすることで、省電力やそれに割り当てられた実行資源を節約できる。
【００８７】
また、情報表示手段１０６に受信レートを表示することの指示がユーザによりなされた際に、受信レートを表示するか否かの確認画面を表示しても構わない。図５には、情報表示手段１０６に、受信レートを表示するか否かの確認を促すための画面の一例を示す。
【００８８】
さらに、電源投入時など受信装置の動作が開始してからの所定の間のみ、受信レートの測定と受信レートの表示を行うようにしても構わない。この場合、受信するＡＶストリームはユーザにより指示されたものであっても構わず、受信レート測定時に受信できる任意のＡＶストリームを装置が選択しても構わない。このようにすることにより、電源投入時の受信レートをユーザが確認することができる。
【００８９】
なお、制御入力手段１２０は、ユーザによるリモコン操作を受信する赤外線ＩＦ１２１や制御ボタン１２２などに限らず、パソコンによる遠隔指示のように、ネットワークに接続されたほかの装置からのネットワーク経由による指示でも構わない。
【００９０】
（実施の形態４）
図６は、本発明の実施の形態４における受信装置の構成図である。図７は、本発明の実施の形態４における受信装置の情報表示手段１０６に示される受信レートの表示例を示す図である。
【００９１】
図６において、図１、３、４と同じ構成要素については同じ符号を用い説明を省略する。
【００９２】
本実施の形態４における受信装置６００において、本発明の実施の形態３と異なる点は、制御入力手段１２０が映像配信サーバ装置２００にコンテンツのリストを問い合わせる旨のユーザの指示を受け付けられるように構成したこと、コンテンツ情報保存手段１１２とパケット送信手段１１３とを備えることである。
【００９３】
ユーザによるリモコンの操作を制御入力手段１２０における赤外線ＩＦ１２１により受信することにより、映像配信サーバ装置２００からコンテンツのリストを取得する指示を受信装置６００が受け付ける。
【００９４】
パケット送信手段１１３は、コンテンツの情報の取得などの送信装置と受信装置間で行う送受信コマンドのパケットの送信処理を行う。
【００９５】
コンテンツ情報保存手段１１２は、コンテンツのリストを取得する指示を受けた場合、映像配信サーバ装置２００に対して保存しているコンテンツのリストを要求し、映像配信サーバ装置２００から送られるコンテンツのリストを取得し、保存する。続いて、保存しているコンテンツのリストに基づいて、映像配信サーバ装置２００にコンテンツの伝送レートの設定値を問い合わせ、送信される映像パケットの伝送レートの設定値を入手する。映像配信サーバ装置２００に対するコンテンツのリストの問い合わせと、伝送レートの問い合わせは同時に行っても構わない。問い合わせのパケットはパケット送信手段１１３を通じて送信する。
【００９６】
続いて、制御入力手段１２０からのユーザによる指示に応じて、受信装置６００は、コンテンツ情報保存手段１１２に保存しているコンテンツの一覧を情報表示手段１０６に表示する。続いて、ユーザによりコンテンツを選択させ、選択されたコンテンツの配信を映像配信サーバ装置２００に対して要求し、コンテンツの映像パケットを受信する。
【００９７】
映像パケット伝送能力測定手段１１１は、実際に受信している映像パケットの受信レートを測定し、測定している受信レートとコンテンツ情報保存手段１１２に設定されている受信する映像パケットの伝送レートとを比較する。コンテンツ情報保存手段１１２に設定されている伝送レートの方が、実際に受信中の映像パケットの受信レートより高ければ、図７に示す受信レート表示画面７０１とともに「受信レートが下回っている」旨を意味するメッセージを情報表示手段１０６に表示する。このような場合は、ネットワーク３００に十分な帯域が確保されておらず、映像に障害が発生する可能性がある。また、同時に、受信レートが下回っている旨を映像配信サーバ装置２００に通知しても構わない。図７において、斜線部分７３３は受信レートが伝送レートよりも不足していることを示す。図７のような画面以外にも、同様のメッセージを点滅してユーザに伝えても構わない。
【００９８】
このようにすることで、映像の障害の原因が、ネットワークにあるのか、ネットワーク以外の受信装置６００にあるのかをユーザが判断することが可能になる。すなわち、コンテンツ情報保存手段１１２に設定されている伝送レートの方が、実際に受信中の映像パケットの受信レートより高ければ、映像の障害の原因がネットワークにあるものと判断できる。伝送レートの方が受信レートよりも低ければ、映像の障害の原因が受信装置６００側にあるものと判断できる。
【００９９】
なお、情報表示手段１０６に表示するメッセージと受信レート表示画面の表示位置は、画面上であれば、どこに表示してもよいものとする。ユーザに伝われば、どのような表示形態をとってもよいものとする。
【０１００】
本構成を用いることで、受信装置において、映像に障害が発生するか否かをネットワークの受信レートから判断することができる。
【０１０１】
また、受信レートが十分であるか否かをあらかじめユーザが知ることができるため、ユーザに視聴料を要求するような番組を受信する場合に、受信レートが不足する番組の視聴について注意喚起することもでき、画質が十分でないと想定される番組を選択させないことができ、ユーザが支払う視聴料を抑制することができる。画質劣化があらかじめわかっていれば、それを視聴したことをサーバ側に通知する、あるいはユーザ側で装置などに保存するなどして、視聴料の減額を図ることができる。
【０１０２】
（実施の形態５）
以下、本発明の実施の形態５について、図面を参照しながら説明する。本発明の実施の形態５では、有線ＬＡＮ、無線ＬＡＮを通じて送信装置と受信装置が接続されており、送信装置に保存されたコンテンツを受信装置で視聴することができるように構成している。図８は、その一例を示す。
【０１０３】
まず、送信装置と受信装置の接続形態について説明する。
【０１０４】
受信装置１００１と送信装置１００２とは、イーサネット（登録商標）コンバータ（ＥＣ）手段１００７、アクセスポイント（ＡＰ）手段１００５、アクセスポイント（ＡＰ）手段１００６からなるネットワークを通じて接続されている。ＡＰ手段１００５とＡＰ手段１００６は、有線ＬＡＮで接続されている。
【０１０５】
受信装置１００１は、ユーザによる操作の指示に従い、前記ネットワークを通じて送信装置１００２にコンテンツのリストを要求する。そして、取得したリストを表示手段１００３に表示する。続いて、ユーザの指示によりリストの中から選択した番組のコンテンツを送信装置１００２に送信するように要求し、そのコンテンツのＡＶストリームを受信する。受信装置１００１は、例えばＤＶＤレコーダや、ＨＤＤレコーダ、セットトップボックス、テレビなどである。
【０１０６】
送信装置１００２は、放送番組を記録して保存するものであり、ネットワークを介して接続される受信装置１００１の要求に従い、保存されているコンテンツに関する情報を応答する。送信装置１００２は、例えばＤＶＤレコーダや、ＨＤＤレコーダなどの記録再生装置である。
【０１０７】
表示手段１００３と受信装置１００１とはＡＶ（音声及び映像）信号ケーブルで接続されている。また、表示手段１００４と送信装置１００２とはＡＶ信号ケーブルで接続されている。表示手段１００３と表示手段１００４は、ＡＶストリームの再生映像や番組のコンテンツのリストなどを表示する。受信装置１００１と表示手段１００３を一体として、テレビのような一つの装置として構成しても構わない。
【０１０８】
ＥＣ手段１００７は、送信装置１００２を無線ＬＡＮに接続するものである。
【０１０９】
ＡＰ手段１００５、ＡＰ手段１００６は、受信装置１００１と送信装置１００２とを、無線ＬＡＮを通じて有線ＬＡＮで結ぶためのアクセスポイントである。ＡＰ手段１００５、ＡＰ手段１００６は、汎用のアクセスポイント装置を用いて構成できる。
【０１１０】
図９は、その汎用のアクセスポイントのブロック図である。
【０１１１】
無線アクセスポイント９００は、無線アクセスポイント制御手段９０１、有線ＬＡＮインターフェース手段９０２、無線ＬＡＮインターフェース手段９０３、無線リンク接続手段９０４からなる。
【０１１２】
無線アクセスポイント制御手段９０１は、有線ＬＡＮインターフェース手段９０２、無線ＬＡＮインターフェース手段９０３、無線リンク接続手段９０４を制御し、有線ＬＡＮと、無線ＬＡＮの間の接続や、動作制御を行う。
【０１１３】
有線ＬＡＮインターフェース手段９０２は、有線ＬＡＮに接続され、有線ＬＡＮに対応した装置と接続される。
【０１１４】
無線ＬＡＮインターフェース手段９０３は、無線ＬＡＮに対応した装置と接続される。
【０１１５】
無線リンク接続手段９０４は、無線ＬＡＮインターフェース手段９０３の制御と無線リンクレベルを検出する。
【０１１６】
続いて、図１０、図１１を用いて、受信装置１００１及び送信装置１００２の具体構成について説明する。ここでは、受信装置１００１と送信装置１００２は、ともに送受信機能を持つものとしてある。
【０１１７】
図１０は、送受信機能を備える装置のブロック図である。図１１は、図１０におけるネットワーク手段１０１のブロック構成を示したものである。
【０１１８】
図１０において、図１、３、４、６と同じ構成要素については同じ符号を用い説明を省略する。本発明の実施の形態５における受信装置１００１において、本発明の実施の形態４と異なる点は、放送番組を保存するなどの機能を持つレコーダ手段１１４が備えられている点と、またネットワーク手段１０１から無線リンクの状況に関する出力が映像パケット伝送能力測定手段１１１に加えられている点である。
【０１１９】
ネットワーク手段１０１は、有線ＬＡＮ、無線ＬＡＮに対応して通信の制御をする。ネットワーク手段１０１は、有線ＬＡＮとのインターフェースである有線ＬＡＮインターフェース手段１０１２、無線ＬＡＮとのインターフェースである無線ＬＡＮインターフェース手段１０１１、ユーザ操作設定による無線設定情報に基づき該当する無線ＬＡＮに受信装置を接続するための処理を制御する無線リンク接続手段１０１３からなる。
【０１２０】
パケット受信手段１０２やパケット送信手段１１３は、無線ＬＡＮインターフェース手段１０１１あるいは有線ＬＡＮインターフェース手段１０１２を通じて、ネットワークに接続され、これらを通じてデータパケットの送受信が行われる。
【０１２１】
無線リンク接続手段１０１３により検出される無線リンクの状況は、映像パケット伝送能力測定手段１１１に通知される。
【０１２２】
コンテンツ情報保存手段１１２は、無線ＬＡＮあるいは有線ＬＡＮなどのネットワークにより接続された相手装置との間で、相手装置に保存されている放送番組などのコンテンツに関するコンテンツの情報を要求・取得して保存する。受信装置１００１におけるコンテンツ情報保存手段１１２は、送信装置１００２に対してコンテンツのリスト、コンテンツの情報や伝送レートを要求し、取得する。送信装置１００２において、送信装置１００２に保存されているコンテンツの情報は、少なくとも送信装置１００２のレコーダ手段１１４に保存されているが、送信装置１００２のコンテンツ情報保存手段１１２に保存されていても構わず、このような場合は後に説明するレコーダ手段１１４に代わり送受信することができる。
【０１２３】
レコーダ手段１１４は、放送番組を保存する機能や、相手先の要求により保存されているコンテンツのリスト、コンテンツの情報や伝送レートなどを送信する機能や、デコーダ手段１０５にコンテンツを出力し、デコード処理して情報表示手段１０６に再生表示する機能を備える。レコーダ手段１１４は、例えば、ＤＶＤレコーダ、ＨＤＤレコーダなどの記録再生装置である。
【０１２４】
送信装置１００２はＡＰ手段１００５に接続されるために、ユーザ設定により無線ＬＡＮ装置間の接続に必要な情報が、無線リンク接続手段１０１３、ＡＰ手段１００５に設定される。そして、無線リンク接続手段１０１３は、無線ＬＡＮインターフェース手段１０１１を介してＡＰ手段１００５と無線リンク接続される。この無線ＬＡＮ装置間の接続に必要な情報の例としてＩＥＥＥ８０２．１１規格でのＥＳＳＩＤ、ＷＥＰ情報などがある。
【０１２５】
ＡＰ手段１００５と無線リンク接続されるとき、無線リンク接続手段１０１３を介して接続された無線リンクの確立状況は映像パケット伝送能力測定手段１１１に通知される。
【０１２６】
ここで、映像パケット伝送能力測定手段１１１による伝送能力測定について説明する。
【０１２７】
受信装置１００１に設けられた制御ボタン１２２やリモコンの操作など、制御入力手段１２０を通じて、ユーザは受信装置１００１に対して伝送能力測定の指示を行う。このとき、図５に例示するような表示によりその旨を示し、受信装置１００１からの引き続きの案内に従ってユーザが操作を行うと、伝送能力の測定が開始される。
【０１２８】
受信装置１００１によるネットワークを通じた伝送能力は、装置を設置してはじめてネットワークに接続したときの初期設置時の受信レートと、その後におけるユーザがコンテンツの視聴をしているときの最近の受信レートがある。まず、初期設置時の受信レートについて説明する。
【０１２９】
受信装置１００１による伝送能力の測定の際に、まず、映像パケット伝送能力測定手段１１１はネットワーク手段１０１を介して送信装置１００２との通信接続を行い、伝送能力測定のためのテストデータパケットを伝送するよう要求する。送信装置１００２の映像パケット伝送能力測定手段１１１は、テストデータパケットの伝送の指示を受け付け、テストパケット送信を開始する。受信装置１００１の映像パケット伝送能力測定手段１１１は、送信装置１００２から送られてくるテストデータパケットの受信レートを測定する。このときの受信レートは、例えば図２に示したような形式で情報表示手段１０６に表示される。
【０１３０】
次に、ユーザが視聴中のコンテンツの伝送能力測定について説明する。
【０１３１】
受信装置１００１の制御入力手段１２０を通じて、ユーザは受信装置１００１に対して、ネットワーク経由で接続される送信装置１００２からコンテンツのリストを入手してコンテンツのＡＶストリームを伝送するよう指示する。受信装置１００１による送信装置１００２に対するコンテンツを送信する旨の要求に対し、送信装置１００２はレコーダ手段１１４が保存している該当のコンテンツを映像パケット処理手段１０７に転送し、パケット処理手段１０３、パケット送信手段１１３、ネットワーク手段１０１を介して受信装置１００１に対してＡＶストリームの送信を行う。この際に、ユーザにより受信レートを表示する旨の指示が制御入力手段１２０を通じて受け付けられた場合には、受信装置１００１の情報表示手段１０６には、例えば図２に示したような形式で受信レートが表示される。
【０１３２】
このような、ユーザによる明示的な指示以外にも、無線リンク接続手段９０４または無線リンク接続手段１０１３において無線リンクの確立状況を検出し、確立状況に変動があったときに受信レートを測定して、受信レートの情報を更新する。
【０１３３】
以上により、受信装置１００１の初期設置時の受信レート、さらに、その後における最近のコンテンツ視聴時の受信レートを測定することができる。
【０１３４】
次に、コンテンツのリストの入手について説明する。
【０１３５】
受信装置１００１は、ユーザによるコンテンツのリストの入手指示を制御入力手段１２０で受け付け、受信装置１００１のコンテンツ情報保存手段１１２は送信装置１００２に対してネットワーク手段１０１を介してコンテンツの情報の要求をするパケットを送信し、送信装置１００２はレコーダ手段１１４に存在するコンテンツの情報を受信装置１００１に応答する。送信装置１００２から応答されたコンテンツの情報は、受信装置１００１のコンテンツ情報保存手段１１２に保存される。情報表示手段１０６では、図１２のようにコンテンツのリストを表示する。
【０１３６】
映像パケット伝送能力測定手段１１１で検出された受信レートは設置時にユーザの操作などで検出された情報であるため、その後の伝送路の状況変化により、ユーザが送信装置１００２のコンテンツを視聴するときには受信レートが変わっていることもあり得る。初期設置時の受信レートよりも、その後における最近の受信レートの方が、より視聴の際の状況に近い受信レートを示す。さらに、コンテンツのリストの表示をユーザが指示したときに、映像パケット伝送能力測定手段１１１により送信装置間との受信レートを、都度検出することでより精度の高い情報を検出して表示できる。この都度検出には、テストデータパケットの受信レートの測定や、コンテンツのリストの送出の受信レートの測定や、現在伝送中の任意のＡＶストリームの受信レートの測定など種々の方法がある。
【０１３７】
映像パケット伝送能力測定手段１１１は、このように初期設置時に測定した受信レートまたはその後における視聴時に検出して更新した受信レートと、コンテンツ情報保存手段１１２に保存された各コンテンツの伝送レートとを比較して、コンテンツ情報保存手段１１２の情報に保存された伝送レートの方が小さいもの、すなわち伝送レート以下のコンテンツを区別するための伝送制御フラグを付加する。
【０１３８】
図１３は、コンテンツ情報保存手段１１２で管理するコンテンツのテーブル情報の例を示す。図１３において、コンテンツの伝送レートはコンテンツを受信するのに必要な伝送レートのことである。今、ネットワークを通じての受信レートが、例えば１５Ｍｂｐｓであるとすれば、伝送レートがそれ以下のコンテンツ（図１３において、番号が２、４、５、６、７のコンテンツ）については伝送可能であることを示し、伝送制御フラグがＯＮである。図１３において、番号が１、３のコンテンツについては、伝送レートの方が高いため、映像に障害が発生する可能性があることを示し、伝送制御フラグがＯＦＦになっている。
【０１３９】
これにより、コンテンツを要求する受信装置１００１は、コンテンツ情報保存手段１１２に保存されたコンテンツのリストの情報から映像に障害が発生せずに伝送できるコンテンツの情報を情報表示手段１０６で表示・通知することができる。
【０１４０】
コンテンツの伝送レートが高くコンテンツの視聴が許容できない場合は、図１４に示されるようにコンテンツのリストが表示される。コンテンツ情報保存手段１１２で保存されたコンテンツのリストの伝送制御フラグを参照して、情報表示手段１０６でコンテンツのリストを表示制御する。伝送レートが満たされない場合には、強調表示を行いユーザにコンテンツが選択できないことを通知し、また、受信装置１００１ではコンテンツが選択できないような処理を施す。図１４において、番号が１、２、３、７のコンテンツについては伝送レートが高いため視聴が許容できないことを示す。強調表示の例としては、伝送レートが十分であるコンテンツとは異なる色による表示や、網掛け表示、マーク付けなどの種々の装飾による表現法がある。
【０１４１】
これによりユーザは、適切に伝送できるコンテンツをあらかじめ把握することができる。
【０１４２】
なお、受信装置１００１にもレコーダ手段１１４が備えられていればそのコンテンツの情報を送信装置１００２に保存されているコンテンツの情報に加えて、受信装置１００１のコンテンツ情報保存手段１１２に保存し、コンテンツのリストとして表示しても構わない。
【０１４３】
また、図８では、送信装置１００２は無線ＬＡＮを経由して、受信装置１００１は有線ＬＡＮとＥＣ手段１００７を経由して接続された構成を示したが、他の構成としても構わない。例えば、送信装置１００２、受信装置１００１ともに無線の場合、また、送信装置１００２を有線ＬＡＮ、受信装置１００１を無線ＬＡＮで構成するなどである。
【０１４４】
また、非映像パケット伝送能力測定手段１１０で測定した非映像パケットの受信レートも情報表示手段１０６に表示しても構わない。
【産業上の利用可能性】
【０１４５】
本発明に係る受信装置は、受信端末において、時系列に伴った通信帯域の変化が発生し、映像に障害が発生したとき、その原因がネットワークにあるのか、ネットワーク以外の受信端末のほかの部分にあるのかを判断することが可能となるので、ネットワークから映像や音声を受信するデジタルテレビやＤＶＤレコーダなどの家電機器における受信機能等として、有用である。
【０１４６】
また、本発明の無線通信端末装置と、受信モニタ表示方法は、無線ネットワーク・有線ネットワークで構成するＡＶシステムにおける、コンテンツのＡＶストリームを受信できる伝送の品質を確認することで、安定的なＡＶストリームを伝送する状態を通知することができるという利点があり、ネットワーク対応の装置等に適用できる。
【図面の簡単な説明】
【０１４７】
【図１】本発明に係る実施の形態１における受信装置の構成を表す図
【図２】本発明に係る実施の形態１における受信装置の情報表示手段に示される受信レートの表示例を示す図
【図３】本発明に係る実施の形態２における受信装置の構成を表す図
【図４】本発明に係る実施の形態３における受信装置の構成を表す図
【図５】本発明に係る実施の形態３における受信装置の情報表示手段に示される受信レートの操作を促すための表示例を示す図
【図６】本発明に係る実施の形態４における受信装置の構成を表す図
【図７】本発明に係る実施の形態４における情報表示手段に表示される受信レートの例を示す図
【図８】本発明に係る実施の形態５における送信装置、受信装置の接続の一例を表す図
【図９】本発明に係る実施の形態５における無線ＬＡＮアクセスポイントの構成を表す図
【図１０】本発明に係る実施の形態５における受信装置の構成を表す図
【図１１】本発明に係る実施の形態５におけるネットワーク手段の構成を表す図
【図１２】本発明に係る実施の形態５における情報表示手段に表示するコンテンツのリストの一例を示す図
【図１３】本発明に係る実施の形態５におけるコンテンツ情報保存手段の管理するコンテンツのリストの一例を示す図
【図１４】本発明に係る実施の形態５における情報表示手段に表示するコンテンツのリストの一例を示す図
【図１５】従来の受信性能表示装置の構成を表す図
【符号の説明】
【０１４８】
１００  受信装置
１０１  ネットワーク手段
１０２  パケット受信手段
１０３  パケット処理手段
１０４  伝送能力測定手段
１０５  デコーダ手段
１０６  情報表示手段
１０７  映像パケット処理手段
１０８  非映像パケット処理手段
１０９  アプリ処理手段
１１０  非映像パケット伝送能力測定手段
１１１  映像パケット伝送能力測定手段
１１２  コンテンツ情報保存手段
１１３  パケット送信手段
１１４  レコーダ手段
１２０  制御入力手段
１２１  赤外線ＩＦ
１２２  制御ボタン
２００  映像配信サーバ装置
３００  ネットワーク
４００  受信装置
５００  受信装置
６００  受信装置
７０１  受信レート表示画面
９００  無線アクセスポイント
９０１  無線アクセスポイント制御手段
９０２  有線ＬＡＮインターフェース手段
９０３  無線ＬＡＮインターフェース手段
９０４  無線リンク接続手段
１００１  受信装置
１００２  送信装置
１００３  表示手段
１００４  表示手段
１００５  ＡＰ手段
１００６  ＡＰ手段
１００７  ＥＣ手段
１０１１  無線ＬＡＮインターフェース手段
１０１２  有線ＬＡＮインターフェース手段
１０１３  無線リンク接続手段
【図１】
2007306354.tif 000003
【図２】
2007306354.tif 000004
【図３】
2007306354.tif 000005
【図４】
2007306354.tif 000006
【図５】
2007306354.tif 000007
【図６】
2007306354.tif 000008
【図７】
2007306354.tif 000009
【図８】
2007306354.tif 000010
【図９】
2007306354.tif 000011
【図１０】
2007306354.tif 000012
【図１１】
2007306354.tif 000013
【図１２】
2007306354.tif 000014
【図１３】
2007306354.tif 000015
【図１４】
2007306354.tif 000016
【図１５】
2007306354.tif 000017